(57)【要約】【課題】  本発明は、商品ディスプレイ部分に商品広告機能を持たせる場合に、より高い広告機能を奏するとともに、必要なときに商品見本を完全に遮蔽することができる技術を提供することを目的とする。【解決手段】  本発明は、商品見本を視認可能に保持する商品見本陳列部と、商品見本陳列部の前面の空間に挿入可能なスクリーン部材とを備え、スクリーン部材が挿入された場合に、商品見本が視認できないように遮蔽される、自動販売機を提供する。【選択図】  図１
2007004480.tif 000002
【特許請求の範囲】
【請求項１】
商品見本を視認可能に保持する商品見本陳列部と、
前記商品見本陳列部の前面の空間に挿入可能なスクリーン部材とを備え、
前記スクリーン部材が挿入された場合に、前記商品見本が視認できないように遮蔽される、自動販売機。
【請求項２】
前記スクリーン部材を動作させるための駆動手段と、
前記駆動手段を制御するためのプログラムを記憶する記憶部と、
前記プログラムに基づいて前記駆動手段を制御する制御部と、
をさらに備える、請求項１に記載の自動販売機。
【請求項３】
前記制御部が、前記商品の販売中止状態であると判断したときに、前記商品見本が前記スクリーン部材によって遮蔽されるように前記駆動手段を制御する、請求項２に記載の自動販売機。
【請求項４】
計時手段をさらに備え、
前記商品が、販売時間の規制されている商品であり、
前記販売中止状態は、
前記商品の販売を禁止する時間帯である、請求項３に記載の自動販売機。
【請求項５】
前記スクリーン部材が、広告の文字やデザインの表示された広告用スクリーンである、請求項１〜４のいずれかに記載の自動販売機。
【請求項６】
前記広告用スクリーンを少なくとも２種備える、請求項５に記載の自動販売機。
【請求項７】
前記商品見本陳列部を少なくとも２つ備える、請求項１〜６のいずれかに記載の自動販売機。
【請求項８】
広告機能が強化された自動販売機であって、
商品見本を視認可能に保持する商品見本陳列部と、
前記商品見本陳列部の前面の空間に挿入可能な広告用スクリーンであって、挿入された場合に前記商品見本を視認できないように遮蔽する、広告用スクリーンと、
を備え、
前記広告用スクリーンが挿入された場合に、前記広告用スクリーンに表示された文字またはデザインと、自動販売機本体に表示された文字またはデザインとが協調して１つ以上の広告機能を発揮する、
自動販売機。
【請求項９】
前記広告用スクリーンを動作させるための駆動手段と、
前記駆動手段を制御するためのプログラムを記憶する記憶部と、
前記プログラムに基づいて前記駆動手段を制御する制御部と、
をさらに備える、請求項８に記載の自動販売機。
【請求項１０】
前記制御部が、前記商品の販売中止状態であると判断したときに、前記商品見本が前記スクリーン部材によって遮蔽されるように前記駆動手段を制御する請求項９に記載の自動販売機。
【請求項１１】
計時手段をさらに備え、
前記商品が、販売時間の規制されている商品であり、
前記販売中止状態は、
前記商品の販売を禁止する時間帯である、請求項１０に記載の自動販売機。
【発明の詳細な説明】
【技術分野】
【０００１】
本発明は、商品見本を遮蔽し、さらに広告媒体としても機能し得るスクリーン部材を備える自動販売機に関する。
【背景技術】
【０００２】
自動販売機の商品ディスプレイ部分に、商品広告機能をもたせる技術はこれまでにも知られている。
【０００３】
例えば、自動販売機の商品見本展示部内において、長尺形状に形成された商品見本保持部材を、その長手方向を軸として回転可能にし、当該保持部材を９０°回転させることによって、商品見本展示部内面に表示された広告が視認可能となるように構成した技術が知られている（特開２００１−３３１８６２号公報：特許文献１）。
【０００４】
また、商品ディスプレイの透明パネル越しに、内部に収納されている商品が視認可能な自動販売機において、透明パネルと商品との間の空間に、透明なフィルム状部材から構成される看板部材を配設し、商品を視認可能にすると同時に、メーカー名などの広告内容も半透明な図柄で看板部材に表示することができる技術が知られている（特開平９−１１５０４３号公報：特許文献２）。
【０００５】
しかしながら、特許文献１に記載される技術では、商品見本を保持した多数の保持部材を回転させる機構が必要となり、装置の大型化およびコストアップの問題が生じる。また、保持部材は、ブラインドと同じ原理で、商品見本展示部内面に表示された広告ポスターを視認可能にするため、自動販売機に対する見る人の位置によっては、商品見本展示部内面に表示された広告が見えにくく、広告機能が十分に発揮できないという問題がある。
【０００６】
また、特許文献２の発明における看板部材を構成するフィルムは、透明な部材で構成され、販売機内部の商品が常に視認できるようになっているため、例えば、商品売り切れによる販売中止の場合や、タバコや酒類のように商品の販売禁止時間帯がある場合には不都合である。
【特許文献１】特開２００１−３３１８６２号公報
【特許文献２】特開平９−１１５０４３号公報
【発明の開示】
【発明が解決しようとする課題】
【０００７】
上述のような状況下で、商品ディスプレイ部分に商品広告機能を持たせる場合に、より高い広告機能が求められている。
【０００８】
また、商品の売り切れ時や、自動販売機の故障時、または、販売時間が規制されている商品の自動販売機における販売禁止時間帯などの販売中止状態でも自動販売機の商品見本が視認可能であると、見る人にとってあたかも商品が販売中であるかのような誤解を生じやすい。したがって、販売中止時間帯には、販売中止であることを視覚的に明確にすることが望まれている。
【０００９】
また、販売中止状態にある自動販売機は自動販売機としての機能は使用し得ないが、その時間帯を何らかの形で有効活用したいという要望がある。
【課題を解決するための手段】
【００１０】
上述のような状況に鑑み、本発明者らは、以下のような自動販売機を提供する。
【００１１】
（１）商品見本を視認可能に保持する商品見本陳列部と、
上記商品見本陳列部の前面の空間に挿入可能なスクリーン部材とを備え、
上記スクリーン部材が挿入された場合に、上記商品見本が視認できないように遮蔽される、自動販売機。
（２）上記スクリーン部材を動作させるための駆動手段と、
上記駆動手段を制御するためのプログラムを記憶する記憶部と、
上記プログラムに基づいて上記駆動手段を制御する制御部と、
をさらに備える、上記（１）に記載の自動販売機。
（３）上記制御部が、上記商品の販売中止状態であると判断したときに、上記商品見本が上記スクリーン部材によって遮蔽されるように上記駆動手段を制御する、上記（２）に記載の自動販売機。
（４）計時手段をさらに備え、
上記商品が、販売時間の規制されている商品であり、
上記販売中止状態は、
上記商品の販売を禁止する時間帯である、上記（３）に記載の自動販売機。
（５）上記スクリーン部材が、広告の文字やデザインの表示された広告用スクリーンである、上記（１）〜（４）のいずれかに記載の自動販売機。
（６）上記広告用スクリーンを少なくとも２種備える、上記（５）に記載の自動販売機。
（７）上記商品見本陳列部を少なくとも２つ備える、上記（１）〜（６）のいずれかに記載の自動販売機。
【００１２】
（８）広告機能が強化された自動販売機であって、
商品見本を視認可能に保持する商品見本陳列部と、
上記商品見本陳列部の前面の空間に挿入可能な広告用スクリーンであって、挿入された場合に上記商品見本を視認できないように遮蔽する、広告用スクリーンと、
を備え、
上記広告用スクリーンが挿入された場合に、上記広告用スクリーンに表示された文字またはデザインと、自動販売機本体に表示された文字またはデザインとが協調して１つ以上の広告機能を発揮する、
自動販売機。
（９）上記広告用スクリーンを動作させるための駆動手段と、
上記駆動手段を制御するためのプログラムを記憶する記憶部と、
上記プログラムに基づいて上記駆動手段を制御する制御部と、
をさらに備える、上記（８）に記載の自動販売機。
（１０）上記制御部が、上記商品の販売中止状態であると判断したときに、上記商品見本が上記スクリーン部材によって遮蔽されるように上記駆動手段を制御する上記（９）に記載の自動販売機。
（１１）計時手段をさらに備え、
上記商品が、販売時間の規制されている商品であり、
上記販売中止状態は、
上記商品の販売を禁止する時間帯である、上記（１０）に記載の自動販売機。
【発明の効果】
【００１３】
本発明の自動販売機は、必要な時に、商品見本をスクリーン部材で完全に遮蔽することができる。
【００１４】
本発明はさらに、商品見本全体を覆うスクリーン部材に文字やデザインからなる広告を表示することによって、商品見本遮蔽のためのスクリーン部材を広告媒体とすることができる。それによって、例えば、商品の売り切れ時や、自動販売機の故障時、または、タバコや酒類のような販売禁止時間帯などの販売中止状態の自動販売機において、販売中止時間帯をメーカーや商品の宣伝に有効活用することができる。また、商品見本陳列部全体をスクリーン部材で覆うことによって、広告に使用されるエリアを広く取ることができ、広告機能をより高めることができる。また、スクリーン部材を２種以上用いて時間帯などの条件に応じて、スクリーン部材に表示される広告内容を適宜変更することによって、さらに多様な広告機能を発揮することができる。また、商品見本陳列部を２つ以上設け、例えば、それぞれに別々の広告内容を表示することなどによっても、多様な広告機能を発揮することができる。
【００１５】
本発明の自動販売機は、スクリーン部材で商品見本を遮蔽した場合に、自動販売機の商品見本陳列部以外の本体部分と併せて、自動販売機の筐体全体を広告媒体として使用できる。スクリーンに表示された広告内容と、自動販売機の本体に表示された広告内容とを協調させることによって、より高い広告機能を発揮することができる。
【００１６】
本発明の自動販売機はさらに、スクリーン部材を動作させるための駆動手段と、駆動手段を制御するためのプログラムを記憶する記憶部と、プログラムに基づいて駆動手段を制御する制御部とを備えることによって、所望の条件に応じてスクリーン部材の動作をコンピュータにより自動制御することができる。特に、商品の販売中止状態であると判断したときに、商品見本が前記スクリーン部材によって遮蔽されるように駆動手段を制御することもできる。また、計時手段をさらに備えることにより、例えば、商品の販売を禁止する時間帯に商品見本が上記スクリーン部材によって完全に遮蔽されるように駆動手段を制御することもできる。それによって、例えば、夜間等の販売禁止時間帯を設ける場合は、販売禁止時間になると自動的に商品見本を完全に覆い隠すので、販売禁止状態であることを利用客に確実に知らせることができる。
【発明を実施するための最良の形態】
【００１７】
（実施の形態１）
以下、本発明の一実施の形態を図面を参照して説明する。
【００１８】
図１は、本発明の１つの実施形態に係る自動販売機１の正面外観を示す概略正面図である。図１（Ａ）は、スクリーン部材１７で商品見本陳列部２および３が遮蔽されていない状態、図１（Ｂ）は、スクリーン部材１７で、商品見本陳列部２および３が遮蔽されている状態を示す。
【００１９】
自動販売機１は、上部商品見本陳列部２、下部商品見本陳列部３、商品見本４、価格プレート５、商品選択ボタン６、ＬＥＤ７、硬貨投入口８、返却レバー９、紙幣投入口１０、硬貨返却口１１、金額表示部１２、商品取り出し口１３、赤外線通信用窓部１４、人検知センサ窓部１５、鍵穴１６、およびスクリーン部材１７を備える。
【００２０】
商品見本陳列部２または３は、内部に商品見本４を陳列することができる機能を有するものであれば足りるが、典型的には、商品見本４を視認可能に保護する、透明なアクリル板やガラス等で構成されたパネル１８（図２または図３を参照）を備えるショーケースである。図１では、自動販売機１は２つの商品見本陳列部（すなわち、上部商品見本陳列部２および下部商品見本陳列部３）を備えるが、例えば、上部商品見本陳列部２には、キャンペーン商品など、特定の時期に売り出したい商品などを下部商品見本陳列部３に陳列される他の商品と区別して陳列することができるような構成となっている。
【００２１】
図１（Ｂ）は、スクリーン部材（遮蔽手段）１７によって、商品見本陳列部２および３を完全に遮蔽した状態を示している。スクリーン部材１７は、商品見本陳列部を完全に覆い隠すことができるような大きさのシート状またはプレート状の部材（布製、プラスチック製、金属製等）から構成される。このように商品見本陳列部２および３を完全に遮蔽できるように構成することによって、例えば、商品の販売時間規制がある場合などに、販売禁止時間帯であるというメッセージを消費者に明確に伝達することができる。
【００２２】
スクリーン部材１７は、単に商品見本の遮蔽の目的で無地のシート等を使用しても良いが、典型的には、スクリーン部材１７には、商品またはメーカーなどの広告内容が表示される。それによって、商品販売禁止時間のような自動販売機の機能が使用できないいわゆる「死んだ」時間帯を、商品またはメーカーなどの広告に利用するいわゆる「活きた」時間帯に変えることができる。スクリーン部材１７に表示された広告内容と、自動販売機１の本体に表示された広告内容とを組み合わせて、多様な広告表示が可能になる。例えば、スクリーン部材１７に表示される文字やデザイン（色彩、形状などを含む）を、自動販売機１の本体カバーに表示される文字やデザインと組み合わせることで１つの意味のあるメッセージを伝えられたり、または別の意味を生じたりするように構成することができる。あるいは、スクリーン部材１７に表示された文字やデザインの形状や色彩が加わることによって、自動販売機１の本体に予め表示されている文字やデザインが強調される、またはその逆にスクリーン１７に表示された広告内容が本体に表示されているデザインなどによって強調されるように構成することもできる。
【００２３】
本発明の自動販売機の場合には、商品見本陳列部全体をスクリーン部材１７で覆うことができ、それによって広告に使用できるエリアを広く取ることができるため、より高い広告機能を発揮することができる。
【００２４】
図１に示す例では、商品見本陳列部の数が２つの例を示した。このように商品見本陳列部の数は、１つに限定されない。複数個（２つ以上）の商品見本陳列部を設け、それに対応するスクリーン部材１７の広告内容を多様化することによって、多様な広告機能を発揮することができる。
【００２５】
スクリーン部材１７で、商品見本を遮蔽する必要がある場合としては、例えば、商品の売り切れ時や、自動販売機の故障により販売を中止せざるを得ない時、または、法律等の規制により商品の販売時間が制限されている時などに、販売中止状態であると判断し、商品見本陳列部に陳列されている商品を視認できないように遮蔽する場合などがある。販売時間が制限されている商品の例としては、タバコ、酒類、雑誌等のような未成年者への提供防止等のために販売時間が制限されているものが挙げられる。あるいは、例えば、商品見本陳列部が複数ある場合に、一部の商品見本陳列部の商品のみが売り切れになったり、一部の商品見本陳列部の商品のみに対応する販売機能が故障したりする場合や、商品の数または種類によっては、全ての商品見本陳列部を使用する必要がない場合が有り得る。そのような場合に、対応する商品を販売できない商品見本陳列部や、商品見本陳列用に使用しない商品見本陳列部をスクリーン部材１７で遮蔽し、そのエリアを広告媒体として有効利用してもよい。
【００２６】
図２は、自動販売機１の概略縦断面図であり、スクリーン部材１７の動作を制御する制御機構の構成を模式的に示す。図３は、図２に示す自動販売機１の概略縦断面図の要部拡大図である。
【００２７】
図２および図３に示すように、自動販売機１のスクリーン制御機構は、典型的には、巻取手段２０に巻き付けられているスクリーン部材１７を、商品見本陳列部のパネル１８と商品見本４との間の空間に巻き下ろす（挿入する）ことによって、商品見本４を遮蔽する。スクリーン部材１７の下端には、バー２１（棒状の心材：例えば、金属製バー）が取り付けられており、例えば、巻取手段２０を駆動（巻取手段２０の回転軸を正転または反転）することで、スクリーン部材１７が巻き付けられ、または、スクリーン部材１７が巻き解かれてバー２１の重さによってスクリーン部材１７が重力により引き下ろされる。レール２２は、バー２１の両端を保持して、スクリーン部材１７が動作する際のガイドの役目をする。
【００２８】
巻取手段２０は、手動で駆動するように構成されていても良いが、自動販売機の性質上、所定の時間または条件に応じて、自動的に駆動するように構成されていることが好ましい。したがって、巻取手段２０は、例えば、モータおよびプーリなどによって構成され、これらはコンピュータによってその動作が制御されるように構成され得る。
【００２９】
図４は、本発明の一実施形態に係る自動販売機１のブロック図を示す。自動販売機１は、商品選択ボタン６などから構成される入力部３５、硬貨処理部および／または紙幣処理部（不図示）などから構成される貨幣処理部３６、入力部３５および貨幣処理部３６からのシグナルに応じて商品を投出するための商品投出手段３７、ＬＥＤ７および蛍光灯（不図示）などを含む照明／発光手段３８、収納した商品の売り切れや各機構の故障などを検知する検知手段３９、ＣＰＵなどから構成される制御部３０、ＲＡＭ、ＲＯＭなどのメモリから構成される記憶部３１、タイマなどから構成される計時手段３３等から構成される、一般的な自動販売機の機能を実現する機構を備える。
【００３０】
さらに、本発明の自動販売機１は、モータ、プーリなどから構成される駆動手段３２、スクリーン部材１７と、さらに、前述の制御部３０、記憶部３１、計時手段３３とを含むスクリーン制御ユニット３４を備える。記憶部３１に予め格納されているプログラムを実行することによって、制御部３０が駆動手段３２の動作を制御し、スクリーン部材１７の巻き上げ／巻き下ろしなどが行われる。
【００３１】
制御部３０が、記憶部３１に記憶させたプログラムに基づいて、販売中止状態であるか、販売可能状態であるかを判断し、駆動手段３２を制御しスクリーン部材１７を動作させる。販売中止状態には、商品が売り切れた場合や、自動販売機の故障により販売を中止せざるを得ない場合、または、法律等の規制により商品の販売時間が制限されている場合などが含まれる。例えば、検知手段３９が全商品の売り切れを検知し制御部３０に通知すると、制御部は販売中止状態であると判断し、商品選択ボタン６の販売中止表示を行うと共に、スクリーン部材１７を閉め、商品見本が外部から視認できない状態とするよう制御する。また、自動販売機の一機構（例えば、貨幣処理部３６）が故障したことが検知された場合も販売中止状態であると判断し、同様の制御を行う。以下、法律等の規制により商品の販売時間が制限されている場合について、詳細に説明する。
【００３２】
タバコなどの販売時間に制限がある商品の場合に、販売禁止時間帯には商品見本を遮蔽し、販売可能時間帯にはスクリーンを開けて商品見本４を展示するように制御するときは、計時手段３３からのシグナルに基づいて、駆動手段３２の動作を制御部３０が制御するようなプログラムを記憶部３１に記憶させておくことによって、スクリーン部材１７の所望の動作を実現することができる。例えば、スクリーン部材１７の制御の有無、スクリーン部材１７を閉める時刻、開ける時刻等を、予め記憶部３１に記憶させておくことができる。
【００３３】
図５は、そのような制御をする場合の制御部３０の処理動作を表すフロー図である。以下、その処理動作について説明する。制御部３０の処理動作は、自動販売機１の電源が入ると開始するように構成し得る。あるいは、スクリーン制御機構用のスイッチを別に設けて、そのスイッチをオンにすることによって、制御部３０のスクリーン制御動作が開始するように構成してもよい。
【００３４】
処理がスタートすると、ステップＳ１において、制御部３０はタイマ３３からのシグナルに基づいて、販売禁止時間帯であるか否かを判断する。販売禁止時間帯でない場合には（ステップＳ１：ＮＯ）、ステップＳ２において商品見本４を展示する。すなわち、ステップＳ２において、予めスクリーン部材１７で商品見本陳列部が遮蔽されている場合には、駆動手段３２をスクリーン部材１７を巻き取るように作動させて商品見本４を視認可能な状態にする。同時に、制御部３０は、自動販売機１を販売可能状態（選択ボタン６等を含む入力部３５、硬貨処理装置および紙幣処理装置を含む貨幣処理部３６、ＬＥＤおよび蛍光灯などを含む照明／発光手段３８などをＯＮ（受付可能な）状態）にする。ステップＳ２において、予めスクリーン部材１７で商品見本展示部が遮蔽されていない場合には、そのままの状態を保つ。そして、再びステップＳ１に戻る。
【００３５】
一方、ステップＳ１において、販売禁止時間帯であると判断した場合には（ステップＳ１：ＹＥＳ）、制御部３０は、ステップＳ３において、駆動手段３２を作動させて、スクリーン部材１７で商品見本４を遮蔽する。同時に、自動販売機１を販売禁止状態（入力部３５、貨幣処理部３６、照明／発光手段３８などをＯＦＦ（受付不可）の状態）にする。そして、再びステップＳ１に戻る。
【００３６】
図４および図５の例では、スクリーン制御ユニット３４と一般的な自動販売機の機能を実現する機構とを１つの制御部で制御する例を示したが、これら機構を別個の制御部で制御されるように構成してもよい。
【００３７】
また、図２および図３では、一枚のスクリーン部材１７を使用した例を示したが、スクリーン部材を複数使用する構成としてもよい。例えば、２つのスクリーン部材を商品見本陳列部のパネルと商品見本との間の空間に併設し、所定の時間間隔で、一方のスクリーン部材を巻き上げ、他方のスクリーン部材を巻き下ろすことによって、異なる広告内容の表示を交互に表示することができる。
【００３８】
図６は、そのような複数のスクリーン部材（スクリーン部材１７ａおよび１７ｂとする）およびそれらに対応するスクリーン制御機構を備える本発明の自動販売機における制御部３０の処理動作を示すフロー図である。以下、その処理について説明する。
【００３９】
制御部３０の処理動作は、自動販売機１の電源スイッチまたはスクリーン制御機構のスイッチがオンになったことなどにより、スタートする。処理がスタートすると、ステップＳ１において、制御部３０はタイマ３３からのシグナルに基づいて、販売禁止時間帯であるか否かを判断する。販売禁止時間帯でない場合には（ステップＳ１：ＮＯ）、ステップＳ２において商品見本４を展示する。すなわち、スクリーン部材で商品見本陳列部が遮蔽されている場合には、駆動手段３２をスクリーン部材を巻き取るように作動させて商品見本４を視認可能な状態にする。同時に、自動販売機１を販売可能状態（入力部３５、貨幣処理部３６、照明／発光手段３８などをＯＮ（受付可能な状態）にする。スクリーン部材で商品見本展示部が遮蔽されていない場合には、そのままの状態を保つ。
【００４０】
ステップＳ１において、販売禁止時間帯であると判断した場合には（ステップＳ１：ＹＥＳ）、制御部３０は、ステップＳ３において、駆動手段３２ａ（以下、スクリーン部材１７ａについての処理に使用する要素には「ａ」を、スクリーン部材１７ｂについての処理に使用する要素には「ｂ」を付する）を駆動させて、スクリーン部材１７ａで商品見本４を遮蔽する。同時に、自動販売機１を販売禁止状態（入力部３５、貨幣処理部３６、照明／発光手段３８などをＯＦＦ（受付不可の状態）にする。次いで、ステップＳ４において、タイマ３３をセットし計時を開始する。ステップＳ５において、販売禁止時間帯か否かを判断し、販売禁止時間帯でない場合には（ステップＳ５：ＮＯ）、ステップＳ２へ進む。販売禁止時間帯である場合には（ステップＳ５：ＹＥＳ）、ステップＳ６において、所定の時間が経過したか否かを判断し、経過していない場合（ステップＳ６：ＮＯ）、ステップＳ５へ戻る。経過している場合（ステップＳ６：ＹＥＳ）、ステップＳ７において、駆動手段３２ａを駆動させてスクリーン部材１７ａを巻き上げるとともに、駆動手段３２ｂを駆動させてスクリーン部材１７ｂを巻き下ろして商品見本４を視認不能に遮蔽する。次いで、ステップＳ８において、タイマ３３をセットし、計時を開始する。ステップＳ９において、販売禁止時間帯であるか否かを判断し、販売禁止時間帯でない場合（ステップＳ９：ＮＯ）、ステップＳ２へ進む。販売禁止帯である場合（ステップＳ９：ＹＥＳ）、ステップＳ１０へ進み、所定の時間が経過したか否かを判断し、経過していない場合（ステップＳ１０：ＮＯ）、ステップＳ９へ戻る。経過している場合（ステップＳ１０：ＹＥＳ）、ステップＳ３へ戻り、駆動手段３２ｂを駆動させてスクリーン部材１７ｂを巻き上げるとともに、駆動手段３２ａを駆動させてスクリーン部材１７ａを巻き下ろして商品見本４を視認不能に遮蔽する。
【００４１】
このように、複数個のスクリーン部材を使用することによって、多様な広告機能を実現可能である。
【００４２】
上記の実施形態では、スクリーン部材１７を、商品見本陳列部２または３のパネル１８と商品見本４との間の空間に挿入することによって、商品見本４を視認できないように遮蔽する形態を示したが、スクリーン部材１７による商品見本４の遮蔽の態様は、このようなものに限定されない。パネル１８の内側（商品見本とパネル１８との間）または外側に、スクリーン部材１７として、不透明なシート、パネル、シャッタ等を挿入する形態は、商品見本４全体を遮蔽することができる限り様々な態様が可能である。例えば、スクリーン部材１７は、商品見本陳列部を保護するパネルの外側に挿入する、パネルの外枠に嵌め込む、あるいはパネルの外側部分に雨戸やシャッタのように取り付けることなどによっても、商品見本４を視認不可能に遮蔽し得ることは、当業者に理解され得る。また、商品見本陳列部２または３が、パネル１８を具備しない場合も有り得るが、そのような場合でも、商品見本４の前面の空間等にスクリーン部材１７を挿入することなどによって、商品見本４が視認できないように遮蔽することができる。このようなパネルの内部または外部にスクリーン部材１７を配設する機構、あるいはパネルがない場合にスクリーン部材を配設する機構は、例えば、上記同様、モータやプーリなどをプログラムにより制御することによって実現し得る。
【００４３】
以上、本発明の実施の形態を詳細に説明したが、本発明の範囲は、上記実施形態に限定されず、請求の範囲に記載された本発明の範囲を超えない限りにおいて、種々の変更が可能である。
【産業上の利用可能性】
【００４４】
本発明により、販売中止状態になると自動的に商品見本を完全に覆い隠し、販売禁止状態であることを利用客に確実に知らせることができるため、例えば、タバコ等の販売時間が規制されている商品のための自動販売機として有用である。また、本発明は、商品見本全体を覆う遮蔽部材を広告媒体にできるため、高い広告機能を有する自動販売機として、有用である。
【図面の簡単な説明】
【００４５】
【図１】本発明の１つの実施形態に係る自動販売機１の正面外観を示す概略正面図である。（Ａ）非遮蔽時：販売時。（Ｂ）遮蔽時：販売中止時。
【図２】本発明の一実施形態に係る自動販売機１の概略縦断面図である。
【図３】図２に示す自動販売機１の概略縦断面図の要部拡大図である。
【図４】本発明の一実施形態に係る自動販売機１のブロック図である。
【図５】制御部３０の処理動作を表すフロー図である。
【図６】複数のスクリーン部材を備える本発明の一実施形態に係る自動販売機における制御部３０の処理動作を示すフロー図である。
【符号の説明】
【００４６】
１  自動販売機
２  上部商品見本陳列部（ディスプレイ部）
３  下部商品見本陳列部（ディスプレイ部）
４  商品見本
５  価格プレート
６  商品選択ボタン
７  ＬＥＤ（発光手段）
８  硬貨投入口
９  返却レバー
１０  紙幣投入口
１１  硬貨返却口
１２  金額表示部
１３  商品取り出し口
１４  赤外線通信用窓部
１５  人検知センサ窓部
１６  鍵穴
１７  スクリーン部材
１８  パネル
２０  巻取手段
２１  金属製バー
２２  レール（ガイド）
３０  制御部
３１  記憶部
３２  駆動手段
３３  計時手段
３４  スクリーン制御ユニット
３５  入力部
３６  貨幣処理部
３７  商品投出手段
３８  照明／発光手段
３９  検知手段
【図１】
2007004480.tif 000003
【図２】
2007004480.tif 000004
【図３】
2007004480.tif 000005
【図４】
2007004480.tif 000006
【図５】
2007004480.tif 000007
【図６】
2007004480.tif 000008